(57)【特許請求の範囲】
【請求項１】
水平方向に相対動し得る上ベースと下ベースとの相対向した部分を、それぞれ金属製の受け板で構成しており、前記下ベースが、合板製又はパーティクルボード製の平板状基板の上面に金属製の平板状受け板を張った構造になっている、という構成であって、
前記受け板と基板との縁部に、免震台用運搬具におけるフックの下端に設けた水平張出し部が嵌まる係合穴を、当該係合穴の一端部においては前記水平張出し部が上下挿脱自在となり、フックを穴の他端部に向けて水平動させると前記水平張出部が上向き抜け不能となるようにして形成しており、
更に、前記下ベースの基板における係合穴の内周面と受け板における係合穴の内周面とは、それら係合穴の一端部において同一面状に揃えられている、
免震台。
【請求項２】
免震台とこれを運搬するための運搬具との組み合わせであり、
前記免震台は、水平方向に相対動し得る上ベースと下ベースとの相対向した部分を、それぞれ金属製の受け板で構成しており、前記下ベースが、合板製又はパーティクルボード製の平板状基板の上面に金属製の平板状受け板を張った構造になっている、という構成である一方、
前記運搬具は、人が持つことのできる把手と前記免震台における上下ベースの間に挿入できる挿入部とを有しており、前記挿入部には、ピンの下端に水平張り出し部を有するフックが設けられており、
前記受け板と基板との縁部に、免震台用運搬具におけるフックの水平張出し部が嵌まる係合穴を、当該係合穴の一端部においては前記水平張出し部が上下挿脱自在となり、フックを穴の他端部に向けて水平動させると前記水平張出部が上向き抜け不能となるようにして形成しており、
更に、前記下ベースの基板における係合穴の内周面と受け板における係合穴の内周面とをその一端部において同一面状に揃えるか、又は、前記運搬具におけるフックの水平張出部を偏心した状態でピンに取り付けてピンの外周面と水平張出部の外周面とをその一端部において同一面状に揃えている、
免震台と運搬具との組み合わせ。
【発明の詳細な説明】
【０００１】
【発明の属する技術分野】
本発明は、免震台及びこれと運搬具との組み合わせのに関するものである。
【０００２】
【従来の技術】
免震台の一つとして、上下ベースの間にボールを介在させたものがあり、展示ケースなどに使用するボール式の卓上免震台の一例として、本願出願人は、特願２０００−２７３９４１号において、図１２〜図１３で示すものを開示した。
【０００３】
すなわち、図１２は部分的な断面図、図１３は図１２のXIII-XIII 視断面図であり、免震台４０は、ボール（図示せず）を介して相対動する上下ベース４１，４２を備えている。
【０００４】
上ベース４１は、下向き凹状に形成された４枚の金属板製上部受け板４３と、上部受け板４３が取付く金属板製の上部基板４４と、上部受け板４３の周囲と上部基板４４との間に配置したスペーサ４５と、薄鋼板で箱状に形成した上カバー４６とを備えている。上カバー４６には、合板のような軟質板４７を固定している。上ベース４１の外部に露出する部分は化粧クロス４８で覆われている。
【０００５】
下ベース４２は、下部受け板４９と、下部受け板４９が固定されたフレーム５０と、下カバー５１とを備えており、下カバー４２にも化粧クロス５２を張っている。下部受け板４９の周縁部４９ａは、補強のために下向きに折り曲げられている。
【０００６】
他方、免震台４０は、下ベース４２に取付く運搬具５３で持ち運ぶことができ、この運搬具５３には、ピン５４ａの下端に円形の水平張出部５４ｂを設けたフック５４を取り付けている。そして、下部受け板４９のうち中心を挟んだ両側の部位には、フック５４を係脱できる係合穴５４が空いている。係合穴５４は、フック５４の水平張出部５４ｂが挿脱自在な大径部５５ａと、フック５４の水平張出部５４ｂが上向き抜け不能に係合する小径部５５ｂとから成っている。
【０００７】
【発明が解決しようとする課題】
この先願発明に開示された免震台は、小型の物品の免震に好適であり、特に、大型免震台と併用することにより、美術品などの小型の物品を的確に免震できる利点がある。
【０００８】
ところで、上下受け板４３，４９はボールが転動することから金属板製としているのであるが、免震台としての機能上、下部受け板４９の上面はフラットな平準面に保持されている必要がある。しかし、下部受け板４９の周縁部４９ａを折り曲げ加工するに際して反りや歪みが生じやすいため、下部受け板４９の加工に注意を要するという問題があった。
【０００９】
また、フレーム５０も金属板を曲げ加工して製造するものであるため、加工に注意を要するという問題があった。
【００１０】
更に、運搬具５３のフック５４を下部受け板４９の係合穴５５から抜き外すに際して、図１２に示すように、フック５４の水平張出部５４ｂが下部受け板４９に引っ掛かって抜き外しにくいこともあった。
【００１１】
本発明は、このような問題を解消することを目的とするものである。
【００１２】
【課題を解決するための手段】
本願発明は免震台及びこれと運搬具との組み合わせを含んでいる。請求項１の発明は免震台に係るもので、この免震台は、まず、水平方向に相対動し得る上ベースと下ベースとの相対向した部分を、それぞれ金属製の受け板で構成しており、前記下ベースが、合板製又はパーティクルボード製の平板状基板の上面に金属製の平板状受け板を張った構造になっている、という構成になっている。
【００１３】
更に、前記受け板と基板との縁部に、免震台用運搬具におけるフックの下端に設けた水平張出し部が嵌まる係合穴を、当該係合穴の一端部においては前記水平張出し部が上下挿脱自在となり、フックを穴の他端部に向けて水平動させると前記水平張出部が上向き抜け不能となるようにして形成している。そして、前記下ベースの基板における係合穴の内周面と受け板における係合穴の内周面とは、それら係合穴の一端部において同一面状に揃えられている。
【００１４】
請求項２の発明は、免震台とこれを運搬するための運搬具との組み合わせに関する。この発明において、前記免震台は、水平方向に相対動し得る上ベースと下ベースとの相対向した部分を、それぞれ金属製の受け板で構成しており、前記下ベースが、合板製又はパーティクルボード製の平板状基板の上面に金属製の平板状受け板を張った構造になっている、という構成である一方、前記運搬具は、人が持つことのできる把手と前記免震台における上下ベースの間に挿入できる挿入部とを有しており、前記挿入部には、ピンの下端に水平張り出し部を有するフックが設けられている。
そして、前記受け板と基板との縁部に、免震台用運搬具におけるフックの水平張出し部が嵌まる係合穴を、当該係合穴の一端部においては前記水平張出し部が上下挿脱自在となり、フックを穴の他端部に向けて水平動させると前記水平張出部が上向き抜け不能となるようにして形成しており、更に、前記下ベースの基板における係合穴の内周面と受け板における係合穴の内周面とをその一端部において同一面状に揃えるか、又は、前記運搬具におけるフックの水平張出部を偏心した状態でピンに取り付けてピンの外周面と水平張出部の外周面とをその一端部において同一面状に揃えている。
【００１５】
【発明の作用・効果】
本願発明では、下ベースの受け板と基板とはそれぞれ単なる平板状であるため、受け板の周囲に曲げ加工を施す必要がないと共に、板金製のフレームも不要となり、その結果、簡単な加工によって精度の高い免震台を提供することができる。
【００１６】
また、運搬具のフックを係合穴から抜き外すに際して受け板に引っ掛かることはないため、運搬具を下ベースから簡単に取り外すことができる。
【００１７】
【発明の実施形態】
次に、本発明の実施形態を図面に基づいて説明する。本実施形態は、図１に示す展示ケース１などに使用する卓上免震台（小型免震台）２に適用している。なお、展示ケース１は大型免震台３に載っている。
【００１８】
(1).第１実施形態（図２〜図９）
図２〜図９では第１実施形態を示しており、図２（Ａ）の斜視図に示すように、免震台２は、上下ベース４，５と、上下ベース４，５の間にリテーナ６を介して配置された４個のボール７とから成っている。
【００１９】
免震台２は２個の運搬具８によって持ち運ぶことができると共に、図２（Ｂ）に示すように、運搬具８を利用して積み重ねることができる（運搬具８の詳細は後述する。）。
【００２０】
上ベース４は図１２で説明したのと同様の構成であり、図２（Ｃ）に示すように、下向き凹状のボール受け面９を形成した４枚の金属板製上部受け板１０、上部基板１１、スペーサ１２、上カバー１３、軟質板１４及び化粧クロス１５を備えている。
【００２１】
図３は下ベース５の平面図、図４は図３のIV−IV視断面図であり、これらの図に示すように、下ベース５は、１枚の下部受け板１６と、下部受け板１６が固定された下部基板１７と、箱状の下カバー１８と、化粧クロス１９とを備えている。下部受け板１６のコーナー部にはストッパー２０を設けている。リテーナ６がストッパー２０に当たることにより、上下ベース４，５の対角方向の相対動ストロークが規制される。
【００２２】
下部受け板１６は鋼板のような金属板製であり、単なる平板になっている。他方、下部基板１７は合板で製造されている。このように、下部受け板１６と下部基板１７とは共に平板であるため、簡単な加工により、下部受け板１６の上面を高い精度の平準面とすることができる。
【００２３】
下部受け板１６と下部基板１７とを固定する手段としては、下部受け板１６のコーナー部と中央部とに形成した座ぐり付き穴２１に下方から鍔付きナット２２を嵌め込んで、これに上方からビス２３をねじ込んでいる。ストッパー２０も共締めしている。
【００２４】
なお、固定手段としてはビス２３を使用することには限らず、接着剤による接着など、他の固定手段も採用することができる。また、ビス２３を使用する場合、木ねじを下部受け板１６に直接にねじ込んでも良いし、逆に、下部基板１７に挿通したビスを下方から下部受け板１６にねじ込んでも良い。下カバー１８も、ねじ止めや接着などによって下部基板１７に固定されている。
【００２５】
図５（Ａ）は下ベース５及びリテーナ６と運搬具８とを並べた状態での一部破断平面図である。この図に示すように、リテーナ６は、コーナー部をカットした本体板２４を備えており、本体板２４の各コーナー部に取り付けたホルダー２５の対でボール７を保持している。ホルダー２５の対は、ばね２６により、ボール７を軽く掴むように押されている。また、リテーナ６の各辺にはストッパー板２７を固定している。
【００２６】
図５（Ｂ）は図５（Ａ）のＢ−Ｂ視断面図であり、これら図５（Ａ）（Ｂ）に示すように、運搬具８は、上ベース４に対して横ずれ不能に被さる本体２８と、本体２８の下端に蝶番２９を介して回動自在に取り付けられた挿入部３０とを備えている。
【００２７】
本体２８の上端には、人が手で掴むことのできる把手３１を一体に折り曲げ形成している。他方、挿入部３０にはフック３２を下向きに突設している。フック３２は、円形のピン３２ａの下端に同心状の水平張り出し部３２ｂを設けた形態になっている。なお、フック３２は金属板の曲げ加工によって形成することも可能である。
【００２８】
下ベース５の下部受け板１６と下部基板１７とには、前記運搬具８のフック３２が係脱する２個ずつの係合穴３３，３４を空けている。図６は係合穴３３，３４の箇所の拡大平面図、図７は図６の VII-VII視断面図であり、これらの図に示すように、下部受け板１６の係合穴３３は、フック３２の水平張出部３２ｂが挿脱自在な大径部３３ａと、フック３２のピン３２ａだけが嵌まり得る小径部３３ｂとからなるダルマ形穴になっている。図示の例では、小径部３３ｂが外側寄りに位置している。
【００２９】
他方、下部基板１７の係合穴３４は、フック３２の水平張出部３２ｂがスライド自在となるように小判形に形成されている。このため、図８に示すように、フック３２の水平張出部３２ｂを水平動させることが許容される。
【００３０】
そして、下部受け板１６における係合穴３３の内周面のうち下ベース５の中心寄りに位置した一端面３３ｃと、下部基板１７における係合穴３４の内周面のうち下ベース５の中心寄りに位置した一端面３４ｃとを同一面に揃えている。
【００３１】
従って、図９に示すように、フック３２を係合穴３３，３４から抜き外すに際して、フック３２の水平張出部３２ｂが下部受け板１６に引っ掛かることはなく、フック３２をスムースに抜き外すことができる。
【００３２】
(2).他の実施形態（図10〜図11）
図１０に示す第２実施形態では、下部受け板１６における係合穴３３の向きを第１実施形態とは逆にしている。なお、下部受け板１６の係合穴３３はダルマ形穴にする必要はなく、小判形や単なる円形とすることも可能である。
【００３３】
図１１では、フック３２と係合穴３３，３４との別例である３実施形態を示しており、（Ａ）は平断面図、（Ｂ）は（Ａ）のＢ−Ｂ視断面図である。
【００３４】
この実施形態では、フック３２の水平張出部３２ｂを偏心した状態でピン３２ａに取り付けることにより、ピン３２ａの外周面と水平張出部３２ｂの外周面とをその一端部３２ｃにおいて同一面状に揃えている。この実施形態では、係合穴３３，３４の内周面の一端部３３ｃ，３４ｃを揃える必要はない。
【００３５】
この例から容易に理解できるように、フック３２の抜き外しを容易ならしめるためには、係合穴３３，３４の内周面の一端部３３ｃ，３４ｃとフック３２の外周面の一端部３２ｃとのうち少なくともいずれか一方を揃えたら良い。
【００３６】
【００３７】
(3).その他
本願発明は、上記の実施形態の他にも様々に具体化できる。例えば、上下ベースの両方を合板等の基板に受け板が張られた構造にしても良い。
【００３８】
また、基板としては、パルプを固めたパーティクルボードも使用することができる。
【００３９】
更に、本願発明は卓上式免震台のみでなく、他の様々の免震台に適用することができる。
【図面の簡単な説明】
【図１】免震台の使用状態の一例を示す斜視図である。
【図２】第１実施形態を示す図である。
【図３】第１実施形態の下ベースの平面図である。
【図４】図３のIV−IV視断面図である。
【図５】 (A)は第１実施形態の平面図、 (B)は (A)の B-B視断面図である。
【図６】下ベースの部分拡大図である。
【図７】図６の VII-VII視断面図である。
【図８】運搬具の着脱の手順を示す図である。
【図９】フックを抜き外す状態の断面図である。
【図10】第２実施形態の平面図である。
【図11】第３実施形態を示す図である。
【図12】従来技術の断面図である。
【図13】図１２のXIII-XIII 視断面図である。
【符号の説明】
１  展示ケース
２  卓上免震台
４  上ベース
５  下ベース
６  リテーナ
７  ボール
８  運搬具
１６  下部受け板
１７  下部基板
３２  フック
３２ａ  ピン
３２ｂ  水平張出部
３３，３４  係合穴
【図１】
0004400842.tif 000002
【図２】
0004400842.tif 000003
【図３】
0004400842.tif 000004
【図４】
0004400842.tif 000005
【図５】
0004400842.tif 000006
【図６】
0004400842.tif 000007
【図７】
0004400842.tif 000008
【図８】
0004400842.tif 000009
【図９】
0004400842.tif 000010
【図１０】
0004400842.tif 000011
【図１１】
0004400842.tif 000012
【図１２】
0004400842.tif 000013
【図１３】
0004400842.tif 000014